(57)【特許請求の範囲】
【請求項１】
モータが収納される筒状のハウジング本体と、そのハウジング本体から半径方向外側に突出形成されたグリップ部とからなるハウジングと、前記グリップ部の基端部に配置されたトリガ形式の主スイッチと、前記主スイッチの近傍に配置された補助スイッチとを備える電動工具であって、
前記補助スイッチは、操作部と、その操作部の動作を受けてオンオフするスイッチ本体部とを備え、
前記補助スイッチの操作部は、前記モータと前記主スイッチとの間の部分を覆っている前記ハウジングの左側表面、及び／又は、右側表面に取付けられ、
前記補助スイッチのスイッチ本体部は、前記主スイッチに対して左右方向外側に位置する前記ハウジング内の空間に収納されており、
前記ハウジング内における前記モータと前記主スイッチとの間には、前記補助スイッチの操作部が前記ハウジングの表面に取付けられることに起因して空間が形成されて、その空間内にファンが収納されていることを特徴とする電動工具。
【請求項２】
モータが収納される筒状のハウジング本体と、そのハウジング本体から半径方向外側に突出形成されたグリップ部とからなるハウジングと、前記グリップ部の基端部に配置されたトリガ形式の主スイッチと、前記主スイッチの近傍に配置された補助スイッチとを備える電動工具であって、
前記補助スイッチは、操作部と、その操作部の動作を受けてオンオフするスイッチ本体部とを備え、
前記補助スイッチの操作部は、前記モータと前記主スイッチとの間の部分を覆っている前記ハウジングの左側表面、及び／又は、右側表面に取付けられ、
前記補助スイッチのスイッチ本体部は、前記主スイッチに対して左右方向外側に位置する前記ハウジング内の空間に収納されており、
前記ハウジング内における前記モータと前記主スイッチとの間には、前記補助スイッチの操作部が前記ハウジングの表面に取付けられることに起因して空間が形成されて、その空間内に雑音防止部材が収納されていることを特徴とする電動工具。
【請求項３】
請求項１又は請求項２のいずれかに記載された電動工具であって、
前記補助スイッチは、前記モータの回転方向を切替えるスイッチであることを特徴とする電動工具。
【請求項４】
請求項１から請求項３のいずれかに記載された電動工具であって、
前記補助スイッチの信号に基づいて前記モータを制御する制御部と、
前記制御部が前記補助スイッチの信号に基づいて動作するときに点灯する表示部と、
を備えていることを特徴とする電動工具。
【発明の詳細な説明】
【技術分野】
【０００１】
本発明は、モータが収納される筒状のハウジング本体と、そのハウジング本体から半径方向外側に突出形成されたグリップ部とからなるハウジングと、前記グリップ部の基端部に配置されたトリガ形式の主スイッチと、前記主スイッチの近傍に配置された補助スイッチとを備える電動工具に関する。
【背景技術】
【０００２】
これに関する電動工具が特許文献１に記載されている。
特許文献１に係る電動工具は、図６（Ａ）に示すように、モータ１０１ｍや減速機１０１ｗ等が収納されたハウジング本体１０２を備えており、そのハウジング本体１０２から半径方向外側に突出形成されたグリップ部の基端部にトリガ形式の主スイッチ１０５が設けられている。そして、前記モータ１０１ｍと主スイッチ１０５との間の位置にそのモータ１０１ｍの回転方向を切替える正逆切替えスイッチ１０７が装着されている。
正逆切替えスイッチ１０７は、図６（Ｂ）に示すように、ハウジング本体１０２を左右方向に貫通して設けられた操作レバー１０８と、その操作レバー１０８にアーム状の可動部１１０が連結されたスイッチ本体部１０９とから構成されている。そして、操作レバー１０８の左押圧部１０８ｘが押されてその操作レバー１０８が右移動し、あるいは右押圧部１０８ｙが押されてその操作レバー１０８が左移動することにより、可動部１１０が右、あるいは左に回動してスイッチ本体部１０９の接点が切替わるように構成されている。
【先行技術文献】
【特許文献】
【０００３】
【特許文献１】特開平０５−３０１１７９号公報（特許２８３０６０２号）
【発明の概要】
【発明が解決しようとする課題】
【０００４】
上記した電動工具の正逆切替えスイッチ１０７では、操作レバー１０８がハウジング本体１０２を左右方向に貫通して設けられている。このため、ハウジング本体１０２内のモータ１０１ｍと主スイッチ１０５との間の空間が正逆切替えスイッチ１０７によって専有されており、他の部品等を収納することはできない。【０００５】
本発明は、上記問題点を解決するためになされたものであり、本発明が解決しようとする課題は、正逆切替えスイッチ等の補助スイッチの構造を変更することで、新たに空間を形成し、ハウジング内のスペースを有効活用できるようにすることである。
【課題を解決するための手段】
【０００６】
上記した課題は、各請求項の発明によって解決される。
請求項１の発明は、モータが収納される筒状のハウジング本体と、そのハウジング本体から半径方向外側に突出形成されたグリップ部とからなるハウジングと、前記グリップ部の基端部に配置されたトリガ形式の主スイッチと、前記主スイッチの近傍に配置された補助スイッチとを備える電動工具であって、前記補助スイッチは、操作部と、その操作部の動作を受けてオンオフするスイッチ本体部とを備え、前記補助スイッチの操作部は、前記モータと前記主スイッチとの間の部分を覆っている前記ハウジングの左側表面、及び／又は、右側表面に取付けられ、前記補助スイッチのスイッチ本体部は、前記主スイッチに対して左右方向外側に位置する前記ハウジング内の空間に収納されており、前記ハウジング内における前記モータと前記主スイッチとの間には、前記補助スイッチの操作部が前記ハウジングの表面に取付けられることに起因して空間が形成されて、その空間内にファンが収納されていることを特徴とする。
【０００７】
本発明によると、補助スイッチの操作部はモータと主スイッチとの間の部分を覆っているハウジングの左、及び／又は、右表面に取付けられる。また、補助スイッチのスイッチ本体部は主スイッチに対して左右方向外側に位置するハウジング内空間に収納されている。このため、例えば、補助スイッチがハウジングの左右両側に設けられている場合でも、左右の補助スイッチが主スイッチに対して左右方向外側に配置されて互いに離れているため、主スイッチの上側（主スイッチとモータとの間）には空間が形成される。即ち、従来は補助スイッチによって占められていた部分に空間が形成されるようになる。
このため、前記空間にファンを収納することが可能になり、ハウジング内のスペースを有効活用できる。
なお、補助スイッチがハウジングの左側、あるいは右側のいずれかに設けられている場合には、主スイッチの上側（主スイッチとモータとの間）と、補助スイッチが設けられていない側とに空間が形成される。
【０００８】
請求項２の発明は、モータが収納される筒状のハウジング本体と、そのハウジング本体から半径方向外側に突出形成されたグリップ部とからなるハウジングと、前記グリップ部の基端部に配置されたトリガ形式の主スイッチと、前記主スイッチの近傍に配置された補助スイッチとを備える電動工具であって、前記補助スイッチは、操作部と、その操作部の動作を受けてオンオフするスイッチ本体部とを備え、前記補助スイッチの操作部は、前記モータと前記主スイッチとの間の部分を覆っている前記ハウジングの左側表面、及び／又は、右側表面に取付けられ、前記補助スイッチのスイッチ本体部は、前記主スイッチに対して左右方向外側に位置する前記ハウジング内の空間に収納されており、前記ハウジング内における前記モータと前記主スイッチとの間には、前記補助スイッチの操作部が前記ハウジングの表面に取付けられることに起因して空間が形成されて、その空間内に雑音防止部材が収納されていることを特徴とする。
請求項３の発明によると、前記補助スイッチは、前記モータの回転方向を切替えるスイッチであることを特徴とする。
請求項４の発明によると、補助スイッチの信号に基づいて前記モータを制御する制御部と、前記制御部が前記補助スイッチの信号に基づいて動作するときに点灯する表示部とを備えていることを特徴とする。
これにより、補助スイッチの信号に基づいてモータが所定の動作をしているのが分かるようになる。
【発明の効果】
【０００９】
本発明によると、補助スイッチの構造を変更することで、新たに空間が形成され、ハウジング内のスペースが有効活用されるようになる。
【図面の簡単な説明】
【００１０】
【図１】本発明の実施形態１に係る電動工具の縦断面図である。
【図２】図１のII-II矢視断面図である。
【図３】図２のIII矢視拡大図である。
【図４】変更例に係る電動工具の部分拡大図である。
【図５】変更例に係る電動工具の部分拡大図（Ａ図）（Ｂ図）である。
【図６】従来の電動工具の補助スイッチの部分を表す縦断面図（Ａ図）、補助スイッチの部分を表す平断面図（Ａ図のB-B矢視断面図）（Ｂ図）である。
【発明を実施するための形態】
【００１１】
（実施形態１）
以下、図１から図５に基づいて、本発明の実施形態１に係る電動工具の説明を行なう。本実施形態に係る電動工具は、ＤＣモータを駆動源とする回転打撃工具（インパクトドライバ）（以下、電動工具という）である。
ここで、図中の前後左右及び上下は、電動工具の前後左右及び上下に対応している。
【００１２】
＜電動工具の概要について＞
本実施形態に係る電動工具１０のハウジング１１は、図１に示すように、筒状のハウジング本体１２と、そのハウジング本体１２の側部（図１では下部）から突出するように形成されたグリップ部１５とから構成されている。
ハウジング本体１２には、後側から順番にＤＣモータ２０、遊星歯車機構２４、スピンドル２５、打撃力発生機構２６、及びアンビル２７が同軸に収納されている。ＤＣモータ２０は、電動工具１０の駆動源であり、そのＤＣモータ２０の回転が遊星歯車機構２４によって減速された後、スピンドル２５に伝達される。そして、スピンドル２５の回転力がハンマー２６ｈや圧縮バネ２６ｂ等を備える打撃力発生機構２６によって回転打撃力に変換され、アンビル２７に伝えられる。アンビル２７は、回転打撃力を受けて軸回りに回転する部分であり、ハウジング本体１２の先端に設けられた軸受１２ｊによって、軸回りに回転自在、かつ軸方向に変位不能に支持されている。
アンビル２７の先端部には、ドライバビットやソケットビット等の先端工具（図示省略）を装着するためのチャック部２７ｔが設けられている。
【００１３】
ハウジング１１のグリップ部１５は、使用者が電動工具１０を使用する際に把持する部分であり、握り部位１５ｈと、その握り部位１５ｈよりも突出端（下端）側に位置する下端部位１５ｐとから構成されている。握り部位１５ｈは、使用者が握り易いように比較的小径に形成されており、その握り部位１５ｈの基端部にトリガ形式の主スイッチ１８が設けられている。主スイッチ１８は、使用者が指先で引き操作するトリガ部１８ｔと、トリガ部１８ｔの引き操作により接点がオンオフするとともに、トリガ部１８ｔの引き量に応じて抵抗値が変化するように構成されたスイッチ本体部１８ｓとを備えている。
前記主スイッチ１８の出力信号は、グリップ部１５の下部に収納された制御部２９に入力される。制御部２９は、基板上に設置されたマイコン等から構成されており、主スイッチ１８等からの信号に基づいてＤＣモータ２０の駆動素子（図示省略）を制御する。
グリップ部１５の下端部位１５ｐは、握り部位１５ｈから主に下側前方向に拡開するように構成されており、その下端部位１５ｐの下側に電池パック１９が連結される電池パック連結部１６が設けられている。電池パック連結部１６は、断面逆Ｕ字形の逆溝状に形成されており、その電池パック連結部１６に対して電池パック１９の嵌合部（図示省略）が前方から後方にスライドしながら嵌め込まれるように構成されている。
【００１４】
＜正逆切替えスイッチ３０について＞
ハウジング１１には、ハウジング本体１２とグリップ部１５との境界位置に、図１、図２に示すように、正逆切替えスイッチ３０が取付けられている。正逆切替えスイッチ３０は、ＤＣモータ２０の回転方向を切替えるためのスイッチであり、図２に示すように、例えば、左側の正転スイッチ３０ａと右側の逆転スイッチ３０ｂとから構成されている。そして、正転スイッチ３０ａと逆転スイッチ３０ｂの信号が前記制御部２９に入力されるようになっている。即ち、前記制御部２９は、左側の正転スイッチ３０ａが押し操作されることでＤＣモータ２０を正転方向に回転可能にし、右側の逆転スイッチ３０ｂが押し操作されることでＤＣモータ２０を逆転方向に回転可能とする。
ここで、正転スイッチ３０ａと逆転スイッチ３０ｂとは等しい構造であるため、正転スイッチ３０ａと逆転スイッチ３０ｂとをそれぞれ左右の正逆切替えスイッチ３０と呼び、以下の説明を行なう。
【００１５】
正逆切替えスイッチ３０は、図３の拡大図に示すように、押し操作される操作ボタン３２と、その操作ボタン３２の動作を受けて接点をオンオフさせるスイッチ本体部３４，３５とから構成されている。操作ボタン３２は、図１、図２に示すように、ＤＣモータ２０とトリガ形式の主スイッチ１８との間の部分を覆っているハウジング１１の左側表面と右側表面に取付けられている。また、操作ボタン３２は、図３に示すように、一定寸法だけハウジング１１の内側に押し込み可能に構成されており、前記操作ボタン３２が最も押し込まれた状態でも、その操作ボタン３２は主スイッチ１８に対して外側に配置されるように構成されている。即ち、左右の正逆切替えスイッチ３０の操作ボタン３２は主スイッチ１８に対して外側に配置されている。また、左右の正逆切替えスイッチ３０のスイッチ本体部３４，３５は、各々の操作ボタン３２の下側で、かつ、主スイッチ１８に対して外側に配置されている。
このため、トリガ形式の主スイッチ１８の上側、即ち、その主スイッチ１８とＤＣモータ２０との間には左右の正逆切替えスイッチ３０が離れていることに起因して空間Ｓが形成されている。そして、前記空間Ｓ内には、ファン本体４１を駆動するモータ内蔵式のファン４０が収納されており、そのファン４０によってハウジング１１内の先端工具駆動モータ（ＤＣモータ２０）やモータ駆動制御回路（ＦＥＴ等）の冷却が行われる。
即ち、正逆切替えスイッチ３０が本発明の補助スイッチに相当し、操作ボタン３２が本発明の補助スイッチの操作部に相当する。
【００１６】
＜本実施形態に係る電動工具１０の長所について＞
本実施形態に係る電動工具１０によると、正逆切替えスイッチ３０の操作ボタン３２がＤＣモータ２０と主スイッチ１８との間の部分を覆っているハウジング１１の左右表面に設けられている。また、それらの正逆切替えスイッチ３０のスイッチ本体部３４，３５は主スイッチ１８に対して左右方向外側に配置されている。このように、左右の正逆切替えスイッチ３０が主スイッチ１８に対して左右方向外側に配置されて、互いに離れているため、主スイッチ１８の上側（主スイッチ１８とＤＣモータ２０との間）には空間Ｓが形成される。即ち、従来は正逆切替えスイッチによって占められていた部分に空間Ｓが形成されるようになる。このため、前記空間Ｓにファン４０等を収納することが可能になり、ハウジング１１内のスペースを有効活用できる。
【００１７】
＜変更例＞
ここで、本発明は上記実施形態に限定されるものではなく、本発明の要旨を逸脱しない範囲における変更が可能である。例えば、本実施形態では、主スイッチ１８の上側（主スイッチ１８とＤＣモータ２０との間）の空間Ｓにファン４０を収納する例を示したが、図４に示すように、前記空間Ｓに雑音防止部材であるラインフィルタ５０を収納することも可能である。さらに、雑音防止用のコンデンサ等を収納することも可能である。
また、本実施形態に係る電動工具１０では、左側の正逆切替えスイッチ３０を押し操作することでＤＣモータ２０が正転方向に回転可能となり、右側の正逆切替えスイッチ３０を押し操作することでＤＣモータ２０が逆転方向に回転可能となる例を示した。しかし、正逆切替えスイッチ３０を例えば左側にのみ設置し、一度押して正転方向、もう一度押して逆転方向、さらに押して正転方向と切替えるようにすることも可能である。
また、図５（Ａ）に示すように、ハイジング本体１２の後端位置に、正転表示部６１と逆転表示部６２とを設け、正逆切替えスイッチ３０の信号で制御部２９がＤＣモータ２０の回転方向を正転方向に切替えたときに正転表示部６１を点灯させ、逆転方向に切替えたときに逆転表示部６２を点灯させるようにすることも可能である。ここで、正転表示部６１と逆転表示部６２とを、図５（Ｂ）に示すように、グリップ部１５の下端部位１５ｐに設けることも可能である。
また、例えば、左側に正逆切替えスイッチ３０を設け、右側に同じ構造の補助スイッチを設け、前記補助スイッチにより照明用ライトを点灯、消灯させることも可能である。即ち、補助スイッチを一度押して点灯、もう一度押して消灯、さらに押して点灯とすることも可能である。さらに、前記補助スイッチにより、ＤＣモータ２０の回転速度を複数段階に切替えることも可能である。
また、本実施形態では、電動工具１０としてインパクトドライバを例示したがスクリュードライバ等に本発明を適用することも可能である。
【符号の説明】
【００１８】
１１・・・・・ハウジング
１２・・・・・ハウジング本体
１５・・・・・グリップ部
１８・・・・・主スイッチ
２０・・・・・ＤＣモータ
２９・・・・・制御部
３０・・・・・正逆切替えスイッチ（補助スイッチ）
３２・・・・・操作ボタン（操作部）
３４，３５・・スイッチ本体部
４０・・・・・ファン
５０・・・・・ラインフィルタ（雑音防止部材）
６１・・・・・正転表示部
６２・・・・・逆転表示部
Ｓ・・・・・・空間
【図１】
0005462241.tif 000002
【図２】
0005462241.tif 000003
【図３】
0005462241.tif 000004
【図４】
0005462241.tif 000005
【図５】
0005462241.tif 000006
【図６】
0005462241.tif 000007